(57)【要約】      （修正有）【課題】残湯量が設定最少量になったことを警報で知ることができる電気ポットを提供する。【開設手段】ベース１上に昇降可能に配備された載せ台３と、該載せ台を上向きに付勢する付勢手段４と、載せ台３上に載せた電気ポットの重量によって付勢手段４に抗して載せ台３が下降する際に通電がＯＦＦとなり、電気ポットの湯の使用量に応じて載せ台３が上昇し、残湯量が設定最少量となった時点での載せ台３の高さ位置で通電がＯＮとなり、通電ＯＮで警報器を動作させる回路を具える。【選択図】図２
0003147020.tif 000002
【実用新案登録請求の範囲】
【請求項１】
ベース(１)上に昇降可能に配備された載せ台(３)と、該載せ台を上向きに付勢する付勢手段(４)と、載せ台(３)上に載せた電気ポットＰの重量によって付勢手段(４)に抗して載せ台(３)が下降する際に通電がＯＦＦとなり、残湯量が設定最少量となった時点での載せ台(３)の高さ位置で通電がＯＮとなり、通電ＯＮで警報器(８)を動作させる回路を具えている、電気ポットの設定最少湯量検出装置。
【請求項２】
付勢手段(４)は引張りバネ(41)であり、該引張りバネ(41)にはバネ強さ調整装置(５)が連繋されている、請求項１に記載の電気ポットの設定最少湯量検出装置。
【請求項３】
載せ台(３)は一端を枢支して、自由端である他端側に引張りバネ(41)を含むバネ強さ調整装置(５)が設けられている、請求項２に記載の電気ポットの設定最少湯量検出装置。
【請求項４】
バネ強さ調整装置(５)は、引張りバネ(41)の下端を載せ台(３)上の自由端に係止し、引張りバネ(41)の上端をネジ推力で昇降する昇降軸(51)に係止し、該昇降軸(51)に螺合した駆動軸(52)に回転操作用の摘み(53)を具えて形成されている、請求項３に記載の電気ポットの設定最少湯量検出装置。
【考案の詳細な説明】
【技術分野】
【０００１】
本考案は、電気ポットの湯量が設定最少量まで減ると警報を発する検出装置に関する。
【背景技術】
【０００２】
電気ポットには、外部から液面の高さが分かる様に液面表示器を具えたものがある。しかし、この表示器は見にくいこともあって見過ごし勝ちであり、お湯が欲しいときに、電気ポットが空になっているがある。
【考案の開示】
【考案が解決しようとする課題】
【０００３】
本考案は、電気ポットの残湯量が設定最少量となれば、自動的に警報を発することにより、上記問題を解決するものである。
【課題を解決するための手段】
【０００４】
請求項１の電気ポットの設定最少湯量検出装置は、ベース(１)上に昇降可能に配備された載せ台(３)と、該載せ台を上向きに付勢する付勢手段(４)と、載せ台(３)上に載せた電気ポットＰの重量によって付勢手段(４)に抗して載せ台(３)が下降する際に通電がＯＦＦとなり、電気ポットＰの湯の使用量に応じて載せ台(３)が上昇し、残湯量が設定最少量となった時点での載せ台(３)の高さ位置で通電がＯＮとなり、通電ＯＮで警報器(８)を動作させる回路を具えている。
【０００５】
請求項２は、請求項１の電気ポットの設定最少湯量検出装置において、付勢手段(４)は引張りバネ(41)であり、該引張りバネ(41)にはバネ強さ調整装置(５)が連繋されている。
【０００６】
請求項３は、請求項２の電気ポットの設定最少湯量検出装置において、載せ台(３)は一端を枢支して、他端を昇降となし、載せ台(３)の自由端側に引張りバネ(41)を含むバネ強さ調整装置(５)が設けられている。
【０００７】
請求項４は、請求項３に記載の電気ポットの設定最少湯量検出装置において、バネ強さ調整装置(５)は、引張りバネ(41)の下端を載せ台(３)の自由端に係止し、引張りバネ(41)の上端をネジ推力で昇降する昇降軸(51)に係止し、該昇降軸(51)に螺合した駆動軸(52)に回転操作用の摘み(53)を具えて形成されている。
【考案の効果】
【０００８】
請求項１の電気ポットの設定最少湯量検出装置は、載せ台(３)に液体容器Ｐを載せると、電気ポットＰの重量で、付勢手段(４)に抗して載せ台(３)が下降し警報回路がＯＦＦとなる。
電気ポットＰの湯を使用することによる、電気ポットＰの重量減に応じて、載せ台(３)は上昇し、電気ポットＰの重量が設定最少限に達すると、警報回路がＯＮして警報を発する。
警報を受けて、電気ポットＰに水を補充すればよい。
常に電気ポットＰの内容物の量を気にする煩わしさから開放される。
【０００９】
請求項２の電気ポットの設定最少湯量検出装置は、付勢手段(４)に引張りバネ(41)を用いるから、構成を簡素化して安価に製作できる。
【００１０】
請求項３の電気ポットの設定最少湯量検出装置は、載せ台(３)は一端を枢支して、他端を引張りバネ(41)を介して支持しているから、載せ台(３)の昇降が安定する。
引張りバネ(41)にバネ強さ調整装置(５)を連繋しているから、引張りバネ(41)のバネ力を調整して、警報を発するときの電気ポットＰの残湯量を自由に設定できる。
【００１１】
請求項４の電気ポットの設定最少湯量検出装置は、摘み(53)を回して駆動軸(52)を回転させると、ネジ推力で昇降軸(51)が昇降する。引張りバネ(41)は上端が該昇降軸(51)に係止され、下端が載せ台(３)の自由端に係止されているから、摘み(53)を回して、バネ推力によって引張りバネ(41)を伸縮させて、容易に引張りバネ(41)のバネ力を調整できる。
【考案を実施するための最良の形態】
【００１２】
図１は、電気ポットの設定最少湯量検出装置の斜視図、図２は、図１Ａ−Ａ線に沿う断面図である。図３は、図１Ｂ−Ｂ線に沿う断面図である。
実施例の電気ポットＰは、湯沸かし機能、保温機能を有する。
【００１３】
図１、図２に示す如く、円形のベース(１)の外周の全長に亘って周壁(２)を突設し、該周壁(２)内に、円形の載せ台(３)をベース(１)から浮かせて配備する。
載せ台(３)には、載せ台(３)の下方に配備された後記するスイッチ作動手段(７)のメンテナンスのために、大きな複数の開口(30a)が設けられている。載せ台(３)の上には、内部構造を隠すために円形のプレート(30)が取り外し自由に載せられている。
【００１４】
載せ台(３)の直径線上の後端に、下向きＬ字状に屈曲した脚片(31)が突設され、該脚片(31)は前記周壁(２)内面に支軸(32)を中心に上下方向に回動可能に支持される。載せ台(３)の前記直径線上の他端に下向き逆Ｌ字状に屈曲したブラケット(33)が突設される。
【００１５】
以下の説明で、「前」とはブラケット(33)側、「後」とは脚片(31)側である。
尚、周壁(２)に設けた小さい孔(22)の集合は、後記する警報器(８)が発する音を外部に届き易くするためのものである。
【００１６】
ベース(１)と載せ台(３)との間にて、ベース(１)の前端部に、ベース(１)に垂直に定位置にて回転可能に駆動軸(52)を設ける。駆動軸(52)はネジ軸である。    該駆動軸(52)には、内ネジ軸である筒状の昇降軸(51)が螺合される。
該昇降軸(51)は、前記ブラケット(33)の前向き水平部に開設された孔(36)に余裕のある状態に嵌まっている。
【００１７】
昇降軸(51)の上部に、載せ台(３)の上向き付勢手段(４)である引張りバネ(41)が嵌まり、該引張りバネ(41)の下端はブラケット(33)に係止し、上端は昇降軸(51)の上端に係止している。詳しくは、引張りバネ(41)の上端を起立させてフック部(41a)を形成し、該フック部(41a)を昇降軸(51)の上端面に開設した溝(51a)に嵌めている。これによって、昇降軸(51)の回り止めも図られる。
載せ台(３)は引張りバネ(41)によって上向きに付勢され、ベース(１)と略平行状態に保たれている。
【００１８】
駆動軸(52)の下部には円板状の摘み(53)が駆動軸(52)と同心に固定され、該摘み(53)の一部は、前記周壁(２)の前部に開設した横長の長孔(21)から外部に臨出している。
摘み(53)の外周面には、手指の滑りを防止する凹凸が全周に亘って施されている。
【００１９】
上記摘み(53)を含む駆動軸(52)及び昇降軸(51)によって、引張りバネ(41)のバネ強さを調整するバネ強さ調整装置(５)を構成している。
摘み(53)を正回転させると、ネジ推力で昇降軸(51)が引き下げらて、パネ巻きピッチが狭まってバネ力が弱くなる。摘み(53)を逆回転させると、ネジ推力で昇降軸(51)が押し上げられて、バネの巻きピッチが拡がってバネ力が強くなる。
【００２０】
ベース(１)上には、警報器(８)、警報器回路のスイッチ作動手段(７)及び電池ボックス(９)が配備される。
警報器(８)は、ブザー(81)の様に音声で警報を発するもの、警報ランプの様に光で警報を発するもの等、電気ポットの設定最少湯量検出装置から離れたところでも警報を認識できれば、警報器(８)の種類は問わない。
【００２１】
スイッチ作動手段(７)は、バネ強さ調整装置(５)の近傍から後方に延びるガイド部材(71)と、該ガイド部材(71)上を前後方向にスライド可能な細板状のスライド板(73)と、載せ台(３)の上昇をスライド板(73)の前進運動に変えるレバー(72)と、スライド板(73)を常時後方に付勢するバネ(77)と、スライド板のスライド運動を、スイッチ(６)の固定接点(61)に対する可動接点(62)の接近離間運動に変換する運動変換手段(70)とによって構成される。
【００２２】
ガイド部材(71)は、前後に延びる帯状の底板(71a)の長手方向の両側縁に側壁(71b)(71b)を立設して形成されている。両側壁(71b)(71b)の前部は高くなっており、前記ブラケット(33)の屈曲部に開設された窓孔(34)に余裕のある状態に嵌まり込んでいる。
側壁(71b)(71b)の前部間にレバー(72)の上部が枢支(72a)され、レバー(72)の下部に前記スライド板(73)の前端が枢支(72b)されている。
【００２３】
レバー(72)の上部には前向きに当り片(72c)を突設しており、ブラケット(33)の窓孔(34)の前縁には該当り片(72c)に当接して、図２において、レバー(72)を時計方向に回転する様に押し上げる押し片(35)を設けている。
レバー(72)の下端は、バネ(77)で常時後方に引っ張られているスライド板(73)を枢支しているから、図２において、レバー(72)は常時反時計方向に付勢されて、レバー(72)上の当り片(72c)はブラケット(33)の押し片(35)に当たっている。
【００２４】
運動変換手段(70)は、スライド板(73)の後部に形成したラック(74)と、ガイド部材(71)上の定位置に回転可能に配備され該ラック(74)に噛合したピニオンギア(75)と、該ピニオンギア(75)の軸(75a)に固定されピニオンギア(75)と一体に回転する端子取付け台(76)とからなる。該端子取付け台(76)から延びた腕片(76)に可動接点(62)を取り付け、該可動接点(62)の回転移行路上に固定接点(61)を配備している。
固定接点(61)と可動接点(62)によって、警報回路のスイッチ(６)を構成している。  実施例のスイッチ(６)は、固定接点(61)と可動接点(62)は接触式であるが、固定接点と可動接点が無接触でＯＮ−ＯＦＦするマグネットスイッチ(近接スイッチ)でもよいのは勿論である。
【００２５】
然して、電気ポットＰに設定最少量の水を入れて、載せ台(３)上のプレート(30)に載せる。摘み(21)を回動操作して、固定接点(61)に対して可動接点(62)が接触して、警報回路がＯＮする点を見出し、即ち、引張りバネ(41)のバネ強さを調整する。
【００２６】
次に、電気ポットに水を継ぎ足す。
継ぎ足した水による電気ポットの重量増により、載せ台(３)が支軸(32)を中心に引張りバネ(41)に抗して下降する。
スイッチ作動手段(７)のレバー(72)がバネ(77)で後方に引っ張られていることにより、レバー(72)は、ブラケット(33)の下降に追従して図２において反時計方向に回転し、スライド板(73)は後方へスライドする。
スライド板(73)の後方へのスライドによって、スライド板(73)上の端子取付け台(76)が、図３の状態から図４に示す如く、反時計方向に回転し、端子取付け台(76)上の可動接点(62)が固定接点(61)から離れて、警報回路のスイッチ(６)が切れる。
【００２７】
電気ポットの湯の使用量に応じて、電気ポット全体の重量が減るので、引張りバネ(41)によって上向きに付勢されている載せ台(３)は支点(32)を中心に回転して上昇する。これによって、スイッチ作動手段(７)のレバー(72)は、図２において時計方向に回転し、スライド板(73)は前方へスライドして、図４において、端子取付け台(76)を時計方向に回転させる。
電気ポットの重量が設定最少限に達すると、端子取付け台(76)上の可動接点(62)が固定接点(61)に接して、警報回路がＯＮして警報を発する。
【００２８】
実施例の電気ポットの残湯量の設定最少量検出装置は電池で作動するが、家庭用電源で作動させることもできる。この場合、装置に電気ポット用のコンセントを設け、該装置を経由してポットに通電をし、警報を発するときに電気ポットの通電を遮断する様に制御することもできる。
【００２９】
上記説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００３０】
【図１】電気ポットの設定最少湯量検出装置の斜視図である。
【図２】図１Ａ−Ａ線に沿う断面図である。
【図３】図１Ｂ−Ｂ線に沿う断面図である。
【図４】運動変換手段の平面図である。
【符号の説明】
【００３１】
１  ベース
３  載せ台
30  プレート
４  付勢手段
41  引張りバネ
５  バネ強さ調整装置
６  スイッチ
61  固定接点
62  可動接点
７  スイッチ作動手段
70  運動変換手段
【図１】
0003147020.tif 000003
【図２】
0003147020.tif 000004
【図３】
0003147020.tif 000005
【図４】
0003147020.tif 000006